(57)【要約】【課題】譲渡する対象の決済カードが利用されてしまわないようにすることができる決済カード管理システムを提供する。【解決手段】第１の端末装置から決済カードを識別するカード識別情報を取得するカード識別情報取得部と、前記カード識別情報取得部がカード識別情報を取得すると、新たなカード識別情報を生成するカード識別情報生成部と、前記新たなカード識別情報をカード残高記憶部に書き込むとともに、前記取得したカード識別情報に対応する残高情報をカード残高記憶部から読み出し、当該取得したカード識別情報に対応する残高情報を減算し、前記読み出した残高情報を前記新たなカード識別情報に対応付けてカード残高記憶部に書き込む移行処理を行うカード管理部と、前記新たなカード識別情報を第２の端末装置に送信するカード識別情報送信部と、を有することを特徴とする。【選択図】図１
2013186528.tif 000002
【特許請求の範囲】
【請求項１】
第１の端末装置から決済カードを識別するカード識別情報を取得するカード識別情報取得部と、
カード識別情報と決済カードの残高を表す残高情報とを記憶するカード残高記憶部と、
前記カード識別情報取得部がカード識別情報を取得すると、新たなカード識別情報を生成するカード識別情報生成部と、
前記新たなカード識別情報を前記カード残高記憶部に書き込むとともに、前記取得したカード識別情報に対応する残高情報を前記カード残高記憶部から読み出し、当該取得したカード識別情報に対応する残高情報を減算し、前記読み出した残高情報を前記新たなカード識別情報に対応付けて前記カード残高記憶部に書き込む移行処理を行うカード管理部と、
前記新たなカード識別情報を前記第１の端末装置とは異なる端末装置である第２の端末装置に送信するカード識別情報送信部と、
を有することを特徴とする決済カード管理システム。
【請求項２】
前記カード管理部は、
前記カード識別情報取得部がカード識別情報を取得すると、前記取得したカード識別情報に対応する残高情報に対し決済に基づく減算を停止する残高変更停止部と、
前記残高の変更が停止されたカード識別情報と譲渡する指示とを取得する取得部とを有し、
前記カード管理部は、前記残高の変更が停止された後、前記譲渡する指示に従い、前記移行処理を行い、
前記カード識別情報送信部は、前記新たなカード識別情報を前記譲渡する相手先に該当する第２の端末装置に送信する
ことを特徴とする請求項１記載の決済カード管理システム。
【請求項３】
カード識別情報取得部が、第１の端末装置から決済カードを識別するカード識別情報を取得し、
カード識別情報生成部が、前記カード識別情報取得部がカード識別情報を取得すると、新たなカード識別情報を生成し、
カード管理部が、前記新たなカード識別情報を、カード識別情報と決済カードの残高を表す残高情報とを記憶するカード残高記憶部に書き込むとともに、前記取得したカード識別情報に対応する残高情報を前記カード残高記憶部から読み出し、当該取得したカード識別情報に対応する残高情報を減算し、前記読み出した残高情報を前記新たなカード識別情報に対応付けて前記カード残高記憶部に書き込む移行処理を行い、
カード識別情報送信部が、前記新たなカード識別情報を前記第１の端末装置とは異なる端末装置である第２の端末装置に送信する
ことを特徴とする決済カード管理方法。
【発明の詳細な説明】
【技術分野】
【０００１】
本発明は、決済カード管理システム、決済カード管理方法に関する。
【背景技術】
【０００２】
近年、カードタイプのギフトカードが普及している。このカードタイプのギフトカードは、プリペイドカード方式であり、各ギフトカード固有のカード番号が磁気ストライプなどによって記録されている。ギフトカードを利用する際には、店舗に設置された端末がギフトカードから読み取ったカード番号を、各カードの残高を管理している管理システムに通知して決済を行なう。
また、ギフトカードの券面に印刷されたカード番号やＰＩＮ番号をキーボードやタッチパネルを利用して入力し、管理システムに通知することにより、残高の範囲内で決済を行うことができるサービスも利用されつつある。
【０００３】
一方、特許文献１には、電子商取引用のプリペイドカードの利用の一例が記載されている。この特許文献１においては、プリペイドカードに記載されている固有の記号番号を入力すると、商品の金額が残高から差し引かれ、残高が更新される。
【先行技術文献】
【特許文献】
【０００４】
【特許文献１】特開２００２−１１７３５３号公報（段落０００３−０００８）
【発明の概要】
【発明が解決しようとする課題】
【０００５】
このようなプリペイドカード方式のカードは、利用できる店舗が限られている場合もある。その場合、ユーザは、ギフトカードをもらったとしても、その利用可能な店舗に出向く機会がなかったり、その店舗に欲しい商品がない場合には、ギフトカードの利用機会がないため、他のユーザに譲渡したり、オークションに出品する場合もある。
また、オークションに商品を出品する場合、商品の外観を撮像し、その画像データをオークションサイトに登録することが行われている。入札側のユーザに、入札価格の他に、商品の画像も見ながら、入札するか否かを検討することができる。
【０００６】
ここで、ギフトカードの券面を撮像した画像がオークションサイトにおいて公開されると、カード番号やＰＩＮ番号が多数のユーザに見られることとなり、場合によっては、入札期間において、第三者のユーザが、そのカード番号やＰＩＮ番号を悪用して商品が購入されると、出品時の残高と落札された時の残高が異なってしまうという問題が生じる。
また、オークションサイトにギフトカードの画像を登録しない場合であっても、出品者が、出品前にカード番号等を控えておき、落札者にギフトカードを引き渡した後、そのカード番号等を利用して商品を購入することができてしまう。そうすると、落札者にとっては、自身が利用していないにもかかわらず、残高が減算されてしまうという問題がある。
【０００７】
本発明は、このような事情に鑑みてなされたもので、その目的は、譲渡する元の決済カードが利用されてしまわないようにすることができる決済カード管理システム、決済カード管理方法を提供することにある。
【課題を解決するための手段】
【０００８】
上述した課題を解決するために、本発明は、第１の端末装置から決済カードを識別するカード識別情報を取得するカード識別情報取得部と、カード識別情報と決済カードの残高を表す残高情報とを記憶するカード残高記憶部と、前記カード識別情報取得部がカード識別情報を取得すると、新たなカード識別情報を生成するカード識別情報生成部と、前記新たなカード識別情報を前記カード残高記憶部に書き込むとともに、前記取得したカード識別情報に対応する残高情報を前記カード残高記憶部から読み出し、当該取得したカード識別情報に対応する残高情報を減算し、前記読み出した残高情報を前記新たなカード識別情報に対応付けて前記カード残高記憶部に書き込む移行処理を行うカード管理部と、前記新たなカード識別情報を前記第１の端末装置とは異なる端末装置である第２の端末装置に送信するカード識別情報送信部と、を有することを特徴とする。
【０００９】
また、本発明は、上述の決済カード管理システムにおいて、前記カード管理部は、前記カード識別情報取得部がカード識別情報を取得すると、前記取得したカード識別情報に対応する残高情報に対し決済に基づく減算を停止する残高変更停止部と、前記残高の変更が停止されたカード識別情報と譲渡する指示とを取得する取得部とを有し、前記カード管理部は、前記残高の変更が停止された後、前記譲渡する指示に従い、前記移行処理を行い、
前記カード識別情報送信部は、前記新たなカード識別情報を前記譲渡する相手先に該当する第２の端末装置に送信することを特徴とする。
【００１０】
また、本発明は、カード識別情報取得部が、第１の端末装置から決済カードを識別するカード識別情報を取得し、カード識別情報生成部が、前記カード識別情報取得部がカード識別情報を取得すると、新たなカード識別情報を生成し、カード管理部が、前記新たなカード識別情報を、カード識別情報と決済カードの残高を表す残高情報とを記憶するカード残高記憶部に書き込むとともに、前記取得したカード識別情報に対応する残高情報を前記カード残高記憶部から読み出し、当該取得したカード識別情報に対応する残高情報を減算し、前記読み出した残高情報を前記新たなカード識別情報に対応付けて前記カード残高記憶部に書き込む移行処理を行い、カード識別情報送信部が、前記新たなカード識別情報を前記第１の端末装置とは異なる端末装置である第２の端末装置に送信することを特徴とする。
【発明の効果】
【００１１】
以上説明したように、この発明によれば、第１の端末装置と第２の端末装置とで決済カードの譲渡をする際、決済カードのカード識別情報を新たに生成し、この新たなカード識別情報に対し残高を移行して第２の端末装置へ通知するようにした。これにより、カード識別情報を新たに生成し、新たなカードＩＤを利用するようにしたので、譲渡する元の決済カードが利用されてしまわないようにすることができる。
【図面の簡単な説明】
【００１２】
【図１】この発明の一実施形態による決済カード管理システムの構成を示す概略ブロック図である。
【図２】ギフトカード残高管理装置１０の内部構成を示す機能ブロック図である。
【図３】ギフトカード管理装置２０の内部構成を示す機能ブロック図である。
【図４】ユーザ端末装置３の内部構成を示す機能ブロック図である。
【図５】店舗端末装置５の内部構成を示す機能ブロック図である。
【図６】決済カード管理システムの動作を説明する図である。
【図７】第２の実施形態におけるギフトカード管理装置２０Ａの内部構成を示す機能ブロック図である。
【図８】交換条件記憶部２５に記憶される交換条件のデータの一例である。
【図９】第２の実施形態における決済カード管理システムの動作を説明する図である。
【発明を実施するための形態】
【００１３】
以下、本発明の一実施形態による決済カード管理装置について図面を参照して説明する。
図１は、この発明の一実施形態による決済カード管理システムの構成を示す概略ブロック図である。
この図に示すように決済カード管理システムは、ギフトカードサービス運営会社の決済装置１を構成するギフトカード残高管理装置１０及びギフトカード管理装置２０と、ユーザが保有するユーザ端末装置３ａ及びユーザ端末装置３ａと、ギフトカードを発行した企業の店舗に設置された店舗端末装置５とがネットワーク９により接続され構成される。また、この決済カード管理システムは、ギフトカード７ａ、７ｂに付与されたカード識別情報やＰＩＮ（Personal identification number）を用いて種々の処理が行われる。
【００１４】
ギフトカード７ａ、７ｂは、サーバ残高管理型であるプリペイド方式の決済カードである。このギフトカード７、７ｂは、カード識別情報やＰＩＮが付与されている。このカード識別情報やＰＩＮは、ギフトカード７ａ、７ｂの券面に印刷される。このカード識別情報やＰＩＮを用いることで、決済カード管理システムにおいて決済することが可能である。
【００１５】
この図において、ユーザ端末装置３は、ユーザ端末装置３ａ、３ｂの２台のみ図示されているが、３台以上であってもよい。また、ユーザ端末装置３ａとユーザ端末装置３ｂとを特に識別しない場合には、ユーザ端末装置３と称する。また、ギフトカード７は、ギフトカード７ａ、７ｂの２枚のみ図示されているが、１枚あるいは３枚以上であってもよい。また、ギフトカード７ａとギフトカード７ｂとを特に識別しない場合には、ギフトカード７と称する。
【００１６】
この実施形態においては、あるユーザが所有しているギフトカード７ａを、オークションサイトに登録することでオークションに出品し、他のユーザが入札して落札する場合について説明する。ここでは、ギフトカード管理装置２０が、オークションサイトを各ユーザ端末装置に対して提供する機能も有しており、ギフトカードの出品、入札、落札に関するコンピュータ処理を実行する。
【００１７】
図２は、ギフトカード残高管理装置１０の内部構成を示す機能ブロック図である。ギフトカード残高管理装置１０は、例えば、１台または複数台のコンピュータサーバなどで実現することができ、通信部１１、カード情報記憶部１２、カード残高記憶部１３、及び処理部１４を備えて構成される。
【００１８】
通信部１１は、ネットワーク９を介して他の装置とデータを送受信する。カード情報記憶部１２は、ギフトカードを一意に特定する識別情報であるカードＩＤ（カード識別情報）と、ギフトカードの認証情報であるＰＩＮとを対応付けて記憶する。カード残高記憶部１３は、ギフトカードのカードＩＤと、当該ギフトカードの残高を表す残高情報と、残高に対する減算処理を行うことを許可するか否かを表す情報である残高凍結フラグを対応付けて記憶する。ここで、この残高凍結フラグが決済に伴う減算について許可しないことを表している場合、処理部１４が店舗端末装置５からの決済要求に伴う減算については行わず、ギフトカードの落札に伴う減算については、処理部１４がギフトカード管理装置２０からの要求に応じて行う。
【００１９】
処理部１４は、ギフトカード情報生成部１４１、認証部１４２、及び決済処理部１４３を備えて構成される。ギフトカード情報生成部１４１は、購入されたギフトカードのカードＩＤとＰＩＮを生成し、カード情報記憶部１２に書き込む。認証部１４２は、ギフトカード管理装置２０を介してユーザ端末装置３から受信したＰＩＮを認証する。決済処理部１４３は、決済時に店舗端末装置５から受信した利用カード情報の正当性をギフトカード管理装置２０に問い合わせ、利用カード情報の正当性が確認できた場合には決済処理を行ない、利用カード情報が不正である場合はエラーを店舗端末装置５に通知する。
また、処理部１４は、ギフトカード管理装置２０からの要求や、店舗端末装置５からの要求に従い、残高情報の更新等、各種処理を実行する。
【００２０】
図３は、ギフトカード管理装置２０の内部構成を示す機能ブロック図である。ギフトカード管理装置２０は、例えば、１台または複数台のコンピュータサーバなどで実現することができ、通信部２１、処理部２４を備えて構成される。
通信部２１は、ネットワーク９を介して他の装置とデータを送受信する。
【００２１】
処理部２４は、ユーザ端末装置３から受信した登録対象のギフトカードのカードＩＤとＰＩＮをギフトカード残高管理装置１０に通知し、ギフトカードの認証を依頼する機能を有する。また、この処理部２４において、オークション管理部２４１は、ギフトカードに対してユーザ端末装置から出品の指示、入札指示、落札指示等を受けると、各指示に応じた処理を行い、処理結果をユーザ端末装置へ送信する。
カード識別情報取得部２４２は、オークション管理部２４１がギフトカードの出品指示を第１の端末装置から受信すると、第１の端末装置から決済カードを識別するカード識別情報を取得する。
【００２２】
カード識別情報生成部２４３は、カード識別情報取得部２４２がカード識別情報を受信すると、新たなカード識別情報を生成あるいは、ギフトカード残高管理装置１０に対し、新たなカード識別情報を生成するように指示する。
カード管理部２４４は、新たなカード識別情報をカード残高記憶部１３に書き込むとともに、受信したカード識別情報に対応する残高情報をカード残高記憶部１３から読み出し、当該受信したカード識別情報に対応する残高情報を減算し、読み出した残高情報を新たなカード識別情報に対応付けてカード残高記憶部１３に書き込む移行処理を行う。
【００２３】
カード管理部２４４は、カード識別情報取得部２４２が第１の端末装置からカード識別情報を取得すると、取得したカード識別情報に対応する残高情報に対し決済に基づく減算を停止させる残高変更停止機能、残高の変更が停止されたカード識別情報と譲渡する指示とを取得する取得機能とを有する。
残高変更停止機能は、例えば、後述するように、残高凍結指示をギフトカード管理装置２０からギフトカード残高管理装置１０へ送信し、ギフトカード残高管理装置１０において、残高凍結フラグを決済に基づく減額処理を許可しないことを表すフラグに書き換えることで実現する。取得機能は、残高の変更が停止されたカード識別情報、すなわち、オークションに出品され残高が凍結されたギフトカードのカードＩＤと、譲渡する指示（落札指示）を取得する機能である。
カード管理部２４４は、残高の変更が停止された後、譲渡する指示に従い、移行処理を行う。
カード識別情報送信部２４５は、新たなカード識別情報を第１の端末装置とは異なる端末装置である第２の端末装置に送信する。
【００２４】
図４は、ユーザ端末装置３の内部構成を示す機能ブロック図である。ユーザ端末装置３は、例えば、スマートフォンや携帯電話などの可搬のコンピュータ装置であり、通信部３１、記憶部３２、入力部３３、処理部３４、及び表示部３５を備えて構成される。
【００２５】
通信部３１は、ネットワーク９を介して他の装置とデータを送受信する。記憶部３２は、ギフトカードのカードＩＤやＰＩＮなどの各種情報を記憶する。入力部３３は、例えば、キーやボタンなどであり、ユーザによる操作を受ける。表示部３５は、ＬＣＤ（Liquid Crystal Display）などのディスプレイである。
【００２６】
処理部３４は、出品処理部３４１、入札処理部３４２を備えて構成される。
出品処理部３４１は、ユーザから入力されるギフトカードをオークションに出品する指示とギフトカード７のカードＩＤとを入力部３３を介して入力されると、この指示に応じて、通信部３１、ネットワーク９を介し、ギフトカード管理装置２０へ出品する指示とカードＩＤとを送信する。
入札処理部３４２は、オークションサイトに出品されているギフトカードを選択する指示と、ユーザから入札する指示と、入札金額とを入力部３３を介して入力されると、この指示に応じて、通信部３１、ネットワーク９を介し、ギフトカード管理装置２０へ選択された入札対象のギフトカードを指定し、入札指示と入札金額とを送信する。
【００２７】
図５は、店舗端末装置５の内部構成を示す機能ブロック図である。店舗端末装置５は、通信部５１、読取部５２、及び通知部５３を備えて構成される。
通信部５１は、ネットワーク９を介して他の装置とデータを送受信する。通知部５３は、各種情報を他の装置へ通知する。
【００２８】
次に、上述した構成における決済カード管理システムについて説明する。図６は、決済カード管理システムの動作を説明する図である。
まず、ユーザ端末装置３ａのユーザは、ギフトカードをオークションサイトに出品する場合、出品対象のギフトカードのカードＩＤ、ＰＩＮを入力するとともに、出品指示をユーザ端末装置３ａに入力する。ユーザ端末装置３ａは、ユーザから入力されたカードＩＤ、ＰＩＮ、出品指示をギフトカード管理装置２０へ送信する（ステップＳ１０）。
ギフトカード管理装置２０のオークション管理部２４１は、ユーザ端末装置３ａからカードＩＤ、ＰＩＮ、出品指示を受信すると、ギフトカード残高管理装置１０にこれらの情報を送信するとともに認証要求を送信し（ステップＳ１５）、ギフトカード残高管理装置１０に認証をしてもらう。ギフトカード残高管理装置１０の認証部１４２は、カード情報記憶部１２にアクセスし、出品依頼されたカードＩＤ、ＰＩＮの組み合わせが記憶されているか否かを判定することにより、認証を行い、認証結果をギフトカード管理装置２０へ送信する。ギフトカード管理装置２０のオークション管理部２４１は、認証が成立しなければ、オークション出品指示を破棄し、ユーザ端末装置３ａへエラーを送信する。
出品依頼されたカードＩＤ、ＰＩＮの組み合わせがカード情報記憶部１２に記憶されており、認証が成立すると、カード管理部２４４は、オークション管理部２４１が受信したカードＩＤを残高停止機能によって取得し、取得したカードＩＤに対応する残高情報に対し決済に基づく減算を停止するように、ギフトカード残高管理装置１０にカードＩＤとともに指示を送信することで、残高凍結を指示する（ステップＳ２０）。そして、オークション管理部２４１は、当該ギフトカードに対する入札期間を開始する。
【００２９】
ギフトカード残高管理装置１０の処理部１４は、ギフトカード管理装置２０から残高凍結の指示を受信すると、この指示とともに受信したカードＩＤに対する残高の減算を停止する。例えば、処理部１４は、カード残高記憶部１３に記憶されたカードＩＤのうち、残高凍結が指示されたカードＩＤに対応する残高凍結フラグを、減算処理を許可しないことを表すフラグに書き換える（ステップＳ２５）。
【００３０】
残高凍結が行われた後、ユーザ端末装置３ｂのユーザから、ユーザ端末装置３ｂに対し、出品されたギフトカードから入札対象のギフトカードが指定され、入札指示と入札金額とが入力されると、ユーザ端末装置３ｂは、この入札対象のギフトカードを指定し、入札指示と入札金額とをギフトカード管理装置２０へ送信する（ステップＳ３０）。入札対象のギフトカードは、出品ＩＤ等を指定することで特定される。
【００３１】
入札指示が入力されると、ギフトカード管理装置２０のオークション管理部２４１は、他のユーザ端末装置から、当該ギフトカードに対する入札として、現在の入札金額よりも高い入札金額を指定した入札指示を受信したか否かに基づいて、落札処理を行う。ここでは、ユーザ端末装置３ｂから送信された入札金額が最高額であり、ユーザ端末装置３ｂのユーザが落札したものとして説明する。
【００３２】
ギフトカード管理装置２０のオークション管理部２４１は、入札金額のうち最高額の入札金額を指定した入札指示を行ったユーザ端末装置３ｂが落札したとし、入札期間を終了する（ステップＳ３５）。
落札者が決定すると、ギフトカード管理装置２０のカード管理部２４４は、カード識別情報取得部２４２によって、落札されたギフトカードのカードＩＤを、ユーザ端末装置３ａからの出品指示を元に取得し、このカードＩＤと、減算指示とをギフトカード残高管理装置１０へ送信し、ギフトカードの減算依頼をする（ステップＳ４０）。
ギフトカード残高管理装置１０の処理部１４は、この減算依頼とカードＩＤとを受けると、減算が指示されたカードＩＤに対応する残高をカード残高記憶部１３から読み出し、自身のメモリ内に一時記憶し、当該カードＩＤに対応する残高を０に減算し、ギフトカード管理装置２０からの新たなカードＩＤの指示を待機する（ステップＳ４５）。
ギフトカード管理装置２０のカード識別情報生成部２４３は、減算依頼を指示した後、新カードＩＤの登録指示をギフトカード残高管理装置１０へ送信する（ステップＳ５０）。
【００３３】
ギフトカード残高管理装置１０の処理部１４は、新カードＩＤの登録指示を受けると、新たなカードＩＤとＰＩＮとを生成し、カード情報記憶部１２、カード残高記憶部１３に、新たなカードＩＤを登録する。ここでは、処理部１４は、カード情報記憶部１２、カード残高記憶部１３に、新たなレコードを追加し、当該新たなカードＩＤとＰＩＮとを記憶することで登録をする（ステップＳ５５）。
【００３４】
次に、ギフトカード管理装置２０のカード管理部２４４は、新たなカードＩＤに対するチャージ依頼の指示をギフトカード残高管理装置１０へ送信する（ステップＳ６０）。この指示を受けると、ギフトカード残高管理装置１０の処理部１４は、カード残高記憶部１３に記憶される、新たなカードＩＤに対応する残高を、ステップＳ４５において一時記憶した残高に書き換えることでチャージを行う（ステップＳ６５）。
【００３５】
チャージが行われると、チャージした対象の新たなカードＩＤ、ＰＩＮを、ギフトカード残高管理装置１０の処理部１４は、ギフトカード管理装置２０へ通知する。ギフトカード管理装置２０のカード管理部２４４は、新たなカードＩＤ、ＰＩＮをユーザ端末装置３ｂへ通知する（ステップＳ７０）。ユーザ端末装置３ｂは、この新たなカードＩＤ、ＰＩＮを受信する（ステップＳ７５）。
【００３６】
ユーザ端末装置３ｂのユーザは、新たなカードＩＤとＰＩＮを用いた決済を行う場合、この新たなカードＩＤとＰＩＮ、決済金額を指定し、また、支払い先の店舗に対応する店舗端末装置５を指定し、決済要求をユーザ端末装置３ｂに入力する。この入力操作に応じて、ユーザ端末装置３ｂは、支払い先の店舗端末装置５に対し、新たなカードＩＤ、ＰＩＮ、決済金額、決済要求を送信する（ステップＳ８０）。店舗端末装置５は、この決済要求と新たなカードＩＤ、ＰＩＮ、決済金額を取得し（ステップＳ８５）、ギフトカード残高管理装置１０に対し、新たなカードＩＤ、ＰＩＮ、決済金額とともに、決済要求を送信する。
ギフトカード残高管理装置１０の処理部１４は、この決済要求と新たなカードＩＤ、ＰＩＮ、決済金額を受信すると、新たなカードＩＤに対応する残高凍結フラグが決済に伴う減算処理を許可しているか否かを判定し、許可している場合には、新たなカードＩＤ、ＰＩＮに基づく認証を行い、認証が成立する場合に、残高から決済金額を減算する（ステップＳ９０）。一方、残高凍結フラグが決済に伴う減算処理を許可していない場合や、認証が成立しない場合、決済金額が残高を超えている場合には、減算処理を行わず、エラーを店舗端末装置５に送信する。
【００３７】
一方、ステップＳ３５において、落札処理を行ったが、入札者が存在しない、あるいは、落札条件を満たす入札がなかった場合、オークション管理部２４１は、落札者無しであると判定する。これを受け、カード管理部２４４は、ギフトカード残高管理装置１０に対し、この落札者がいなかったギフトカードのカードＩＤを指定し、残高凍結を解除する指示を送信する（ステップＳ９５）。ギフトカード残高管理装置１０の処理部１４は、この残高凍結の解除の指示に従い、カード残高記憶部１３に記憶された、当該指定されたカードＩＤに対応する残高凍結フラグを、減算処理を許可することを表すフラグに書き換え、凍結を解除する（ステップＳ１００）。
【００３８】
なお、上述した実施形態において、落札者であるユーザのユーザ端末装置３ｂに対し、新たなカードＩＤ、ＰＩＮを通知するようにしたが、この新たなカードＩＤ、ＰＩＮが記憶されたギフトカードを発行し、落札者であるユーザに対して郵送するようにしてもよい。
【００３９】
また、上述した実施形態において、ユーザ端末装置３ｂのユーザは、新たなカードＩＤとＰＩＮとを指定する。例えば、新たなカードＩＤ、ＰＩＮに対応するバーコードをギフトカード管理装置２０から送信し、ユーザ端末装置３ｂが、このバーコードを表示し、店舗端末装置５に読み取らせることで、決済することも可能である。
【００４０】
なお、上述の実施形態においては、ギフトカードをオークションサイトを利用し、あるユーザから他のユーザに有償で譲渡する場合について説明したが、あるユーザから他のユーザへカードを譲渡することを想定した構成であれば、オークションサイトに限らず、利用することができる。また、この譲渡は、無償であってもよい。
【００４１】
以上説明した実施形態においては、オークションに出品された時点で、当該出品されたギフトカードの残高を凍結、すなわち、カードＩＤやＰＩＮ、残高についてそのままの状態（カード残高記憶部１３に記憶された状態）であるが、決済を行うことができない状態に移行しておくようにした。これにより、オークションサイトに出品された際、仮に出品対象のギフトカードの外観の画像がオークションサイトに登録され、カードＩＤやＰＩＮを他のユーザに視認できる状態になっていたとしても、そのカードＩＤやＰＩＮを利用した決済を行うことができないため、出品中に第三者に決済のために利用されてしまうことを防止できる。また、残高を凍結するようにしたので、入札期間や、落札後において、出品者自身が出品したギフトカードのカードＩＤやＰＩＮを利用して決済することができないため、出品者が故意または錯誤により出品後のギフトカードを利用してしまうことを防止することができる。
また、出品したギフトカードが落札されなかった場合、凍結を解除するようにしたので、入札期間が終了した後、ギフトカードを出品したユーザは、ギフトカードを利用することができる。
【００４２】
また、上述した実施形態において、残高凍結の処理と新たなカードＩＤの発行処理との両方を行う場合について説明したが、いずれか一方の処理のみを行うようにしてもよい。なお、新たなカードＩＤの発行処理のみを行う場合には、ギフトカードがオークションサイトに出品された時点で、新たなカードＩＤ、ＰＩＮを発行して登録し、落札された際には、落札者に新たなカードＩＤ、ＰＩＮを通知し、落札者なしの場合には、出品者に、新たなカードＩＤ、ＰＩＮを通知することで、出品期間中、あるいは落札後において、所有者以外に残高を利用されてしまうことを防止することができる。
【００４３】
なお、上述した実施形態において、ギフトカード管理装置２０と、ギフトカード残高管理装置１０は、異なるサーバである場合について説明したが、同じサーバであってもよいし、いずれかの装置の機能の一部が、他方の装置に設けられていてもよい。
【００４４】
また、上述の実施形態において、カード識別情報生成部２４３は、ギフトカード残高管理装置１０に対し、新たなカードＩＤを生成するように指示をしたが、カード識別情報生成部２４３が新たなカードＩＤを生成し、ギフトカード残高管理装置１０へ通知して登録依頼し、この依頼を受けて、ギフトカード残高管理装置１０が、カード情報記憶部１２、カード残高記憶部１３に、新たなカードＩＤを登録するようにしてもよい。
【００４５】
また上述した実施形態において、ギフトカード管理装置２０のカード管理部２４４は、オークションの出品手数料に相当する額を減算した後の金額を残高として、新たなカードＩＤに対してチャージするように指示してもよい。また、ギフトカードが落札されなかった場合であっても、出品手数料に相当する額を減算するようにギフトカード残高管理装置１０へ指示するようにしてもよい。これにより、出品者は、出品したギフトカードの残高を利用して、ギフトカード管理装置２０の運営者に対し、オークションサイトの利用料を支払うことができる。
【００４６】
次に、第２の実施形態における決済カード管理システムについて説明する。この実施形態においては、ギフトカードの交換を行う場合について説明する。ギフトカードは、その種類によって、決済を行うことができる利用範囲が決まっている場合がある。例えば、ギフトカードは、発行元が異なる場合、その利用範囲が異なる場合がある。具体的には、飲食店である店舗Ａが発行したギフトカードは、店舗Ａや店舗Ａの系列店であり飲食店である店舗Ｂ、店舗Ａの系列店であり食品を販売する店舗Ｃにおいて利用できるが、店舗Ｄにおいて決済を行うことができない場合がある。このような場合、店舗Ａが発行したギフトカードを所有しているユーザは、店舗Ａあるいはその系列店において利用する機会がなく、店舗Ｄにおいて利用したい場合であっても、ギフトカードを利用することができない。そうすると、ギフトカードを他のユーザから贈られたとしても、活用することができなくなってしまう。そこで、本実施形態においては、所有しているギフトカードを、他の利用範囲が異なるギフトカードに交換することで、ギフトカードを活用できるようにするものである。
【００４７】
この第２の実施形態において、決済カード管理システムの各部の構成は一部の構成あるいは機能が相違し、その他については第１の実施形態と同様である。以下、その相違する構成、機能を中心に説明し、同様の点については説明を省略する。
図７は、第２の実施形態におけるギフトカード管理装置２０Ａの内部構成を示す機能ブロック図である。
この図において、処理部２４Ａは、交換機能部２４１Ａを有する。交換機能部２４１Ａは、ユーザ端末装置から送信されるギフトカードの交換要求に基づいて、交換元のギフトカードのカードＩＤを取得し、交換後のギフトカードを指定する情報を取得し、交換後のギフトカードに対応する新たなカードＩＤを生成するようにカード識別情報生成部２４３に指示する。
【００４８】
交換条件記憶部２５は、ギフトカードを交換する際の交換条件を記憶する。この交換条件は、例えば、第１のギフトカードから第２のギフトカードへ交換する際の交換レートや、交換手数料を記憶する。
図８は、交換条件記憶部２５に記憶される交換条件のデータの一例である。交換元ギフトカード種別は、交換元のギフトカードの種別を表す情報であり、例えば、発行元の店舗を特定する情報や、ギフトカードの名称等である。交換先ギフトカード種別は、交換先のギフトカードの種別を表す情報であり、例えば、発行元の店舗を特定する情報や、ギフトカードの名称等である。
交換レートは、交換元から交換先へギフトカードを交換する場合のレートを表している。例えば、種別ａのギフトカードを種別ｂのギフトカードに交換する場合、交換レートが０．８であるので、残額が１０００円である種別ａのギフトカードを、残額が８００円である種別ｂのギフトカードに交換することができる。手数料は、ギフトカードの交換をするために必要となる手数料である。
【００４９】
図９は、第２の実施形態における決済カード管理システムの動作を説明する図である。
まず、ユーザ端末装置３ａのユーザは、不要になったギフトカード（例えば、発行元が店舗Ａであるギフトカード）の種別、カードＩＤ、ＰＩＮを入力するとともに、交換先のギフトカードの種別（例えば、発行元が店舗Ｄであるギフトカード）、交換する対象金額を選択する入力をユーザ端末装置３ａに行う。ユーザ端末装置３ａは、ユーザから入力された交換元の種別、カードＩＤ、ＰＩＮ、交換先の種別（発行元が店舗Ｄであるギフトカード）、対象金額を指定する交換要求をギフトカード管理装置２０へ送信する（ステップＳ２００）。
【００５０】
ギフトカード管理装置２０の交換機能部２４１Ａは、ユーザ端末装置３ａから交換元の種別、カードＩＤ、ＰＩＮ、交換先の種別、対象金額、交換要求を受信すると、ギフトカード残高管理装置１０にこれらの情報を送信するとともに認証要求を送信し（ステップＳ２０５）、ギフトカード残高管理装置１０に認証をしてもらう。ギフトカード残高管理装置１０の認証部１４２は、カード情報記憶部１２にアクセスし、交換要求されたカードＩＤ、ＰＩＮの組み合わせが記憶されているか否かを判定することにより、認証を行い、認証結果をギフトカード管理装置２０へ送信する。また、処理部１４は、認証が成立する場合、対象金額が残高の範囲内であるか否かについても判定し、判定結果をギフトカード管理装置２０へ送信する。
ギフトカード管理装置２０の交換機能部２４１Ａは、認証が成立しない場合、あるいは、対象金額が残高を超えている場合を表す回答をギフトカード残高管理装置１０から受信した場合には、交換要求を破棄し、ユーザ端末装置３ａへエラーを送信する。
【００５１】
認証が成立し、対象金額が残高の範囲内である場合、交換機能部２４１Ａは、ユーザ端末装置３ａから指定された交換先を種別に基づいて、交換先を特定し（ステップＳ２１０）、交換元の種別と交換先の種別との組み合わせに対応する交換レート、手数料を交換条件記憶部２５から読み出す。
ギフトカード管理装置２０のカード管理部２４４は、カード識別情報取得部２４２によって、交換元のカードＩＤを、ユーザ端末装置３ａからの交換要求を元に取得し、この交換元のカードＩＤと、対象金額を減算する減算指示とをギフトカード残高管理装置１０へ送信し、減算依頼をする（ステップＳ２１５）。
ギフトカード残高管理装置１０の処理部１４は、この減算依頼とカードＩＤとを受けると、減算指示に含まれる対象金額に従い、当該カードＩＤに対応する残高から対象金額を減算する（ステップＳ２２０）。
ギフトカード管理装置２０のカード識別情報生成部２４３は、減算依頼が指示された後、カード管理部２４４からの指示に従い、新カードＩＤの登録指示をギフトカード残高管理装置１０へ送信する（ステップＳ２２５）。
【００５２】
ギフトカード残高管理装置１０の処理部１４は、新カードＩＤの登録指示を受けると、新たなカードＩＤとＰＩＮとを生成し、カード情報記憶部１２、カード残高記憶部１３に、新たなカードＩＤを登録する。ここでは、処理部１４は、カード情報記憶部１２、カード残高記憶部１３に、新たなレコードを追加し、当該新たなカードＩＤとＰＩＮとを記憶することで登録をする（ステップＳ２３０）。
【００５３】
次に、ギフトカード管理装置２０のカード管理部２４４は、対象金額に交換レートを乗じることで交換後の金額を算出し、この交換後の金額を新たなカードＩＤに対してチャージするようにチャージ依頼をギフトカード残高管理装置１０へ送信する（ステップＳ２３５）。
この指示を受けると、ギフトカード残高管理装置１０の処理部１４は、カード残高記憶部１３に記憶される、新たなカードＩＤに対応する残高を、ギフトカード管理装置２０から指示された交換後の金額を残高に加えた額に更新することでチャージを行う（ステップＳ２４０）。
【００５４】
チャージが行われると、チャージした対象の新たなカードＩＤ、ＰＩＮを、ギフトカード残高管理装置１０の処理部１４は、ギフトカード管理装置２０へ通知する。ギフトカード管理装置２０のカード管理部２４４は、新たなカードＩＤ、ＰＩＮをユーザ端末装置３ｂへ通知する（ステップＳ２４５）。ユーザ端末装置３ａは、この新たなカードＩＤ、ＰＩＮを受信する（ステップＳ２５０）。
【００５５】
ユーザ端末装置３ａのユーザは、新たなカードＩＤとＰＩＮを用いた決済を行う場合、この新たなカードＩＤとＰＩＮ、決済金額を指定し、店舗Ｄの店舗端末装置５を指定し、決済要求をユーザ端末装置３ａに入力する。この入力操作に応じて、ユーザ端末装置３ａは、店舗Ｄの店舗端末装置５に対し、新たなカードＩＤ、ＰＩＮ、決済金額、決済要求を送信する（ステップＳ２５５）。
店舗端末装置５は、この決済要求と新たなカードＩＤ、ＰＩＮ、決済金額を取得し（ステップＳ２６０）、ギフトカード残高管理装置１０に対し、新たなカードＩＤ、ＰＩＮ、決済金額とともに、決済要求を送信する。
【００５６】
ギフトカード残高管理装置１０の処理部１４は、この決済要求と新たなカードＩＤ、ＰＩＮ、決済金額を受信すると、新たなカードＩＤに対応する残高凍結フラグが決済に伴う減算処理を許可しているか否かを判定し、許可している場合には、新たなカードＩＤ、ＰＩＮに基づく認証を行い、認証が成立する場合に、残高から決済金額を減算する（ステップＳ２６５）。一方、認証が成立しない場合や、決済金額が残高を超えている場合には、減算処理を行わず、エラーを店舗端末装置５に送信する。
【００５７】
なお、上述の第２の実施形態において、交換機能部２４１Ａは、ギフトカードの交換が完了した後、読み出した手数料に基づいて、交換後のギフトカードの残高から手数料に応じた金額を減額するように、ギフトカード残高管理装置１０に要求し、ギフトカード残高管理装置１０がその金額に応じて減額する。これにより、ユーザ端末装置３ａのユーザは、交換手数料を、交換後のギフトカードを利用して支払うことができる。
【００５８】
また、上述した実施形態においては、ギフトカードを例として説明したが、決済をすることができるカードであれば、ギフトカード以外の決済カードに決済カード管理システムを適用するようにしてもよい。
【００５９】
また、図１における決済装置の機能を実現するためのプログラムをコンピュータ読み取り可能な記録媒体に記録して、この記録媒体に記録されたプログラムをコンピュータシステムに読み込ませ、実行することにより決済カードの管理を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６１】
以上、この発明の実施形態について図面を参照して詳述してきたが、具体的な構成はこの実施形態に限られるものではなく、この発明の要旨を逸脱しない範囲の設計等も含まれる。
【符号の説明】
【００６２】
１  決済装置
３ａ、３ｂ  ユーザ端末装置
５  店舗端末装置
７ａ、７ｂ  ギフトカード
９  ネットワーク
１０  ギフトカード残高管理装置
１１、２１、３１、５１  通信部
１２  カード情報記憶部
１３  カード残高記憶部
１４、２４、３４  処理部
２０  ギフトカード管理装置
３２  記憶部
３３  入力部
３５  表示部
５３  通知部
１４１  ギフトカード情報生成部
１４２  認証部
１４３  決済処理部
２４１  オークション管理部
２４１Ａ  交換機能部
２４２  カード識別情報取得部
２４３  カード識別情報生成部
２４４  カード管理部
２４５  カード識別情報送信部
３４１  出品処理部
３４２  入札処理部
【図１】
2013186528.tif 000003
【図２】
2013186528.tif 000004
【図３】
2013186528.tif 000005
【図４】
2013186528.tif 000006
【図５】
2013186528.tif 000007
【図６】
2013186528.tif 000008
【図７】
2013186528.tif 000009
【図８】
2013186528.tif 000010
【図９】
2013186528.tif 000011